(57)【要約】      （修正有）【課題】各種着座具に取り付け可能な足載せ装置と、当該足載せ装置を備えた足載せ装置付き着座具を提供する。【解決手段】足載せ装置５０は、着座具に取り付けて使用可能な足載せ装置５０において、フレーム１とレール２とスライド体３と足載せ台４と立上げ機構５とフットレスト６と展開機構７を備えたものである。スライド体３は、着座具の座の下側に取り付けたときに、座の下方の収容空間から座の先端よりも前方までスライド可能であり、フットレスト６はその裏面が足載せ台４の裏面に対向するように回転させて重ね合わせることができ、当該重ね合わせ状態で座の下方の収容空間に収容することができる。本発明の足載せ付き着座具は、着座具に前記足載せ装置５０が取り付けられたものである。【選択図】図１
2016120174.tif 000002
【特許請求の範囲】
【請求項１】
着座具に取り付けて使用可能な足載せ装置において、
着座具に取り付け可能な取付けフレームと、当該取付けフレームに固定されたレールと、当該レールに沿ってスライド可能なスライド体と、当該スライド体の先方側に回動可能に設けられた足載せ台と、前記スライド体と足載せ台の双方に連結されて当該足載せ台を所望角度に立ち上げる立上げ機構と、前記足載せ台の先方に回動可能に設けられたフットレストと、前記スライド体とフットレストの双方に連結されて当該フットレストを所望角度に展開する展開機構を備え、
前記スライド体は、着座具の座の下側に取り付けたときに、当該座の下方の収容空間から当該座の先端よりも前方までスライド可能であり、
前記フットレストは、その裏面が足載せ台の裏面に対向するように回転させて重ね合わせることができ、前記スライド体の後方移動に伴って、当該重ね合わせ状態で座の下方の収容空間に収容することができる、
ことを特徴とする足載せ装置。
【請求項２】
請求項１記載の足載せ装置において、
足載せ台は立上げ機構によって立上げ角度を所望角度に調節可能である、
ことを特徴とする足載せ装置。
【請求項３】
請求項１又は請求項２記載の足載せ装置において、
フットレストは展開機構によって展開角度を所望角度に調節可能である、
ことを特徴とする足載せ装置。
【請求項４】
座の下に空間を備えた着座具において、
前記着座具に請求項１から請求項３のいずれか１項に記載の足載せ装置が取り付けられ、
前記足載せ装置は、前記座の先端よりも前方に引き出した状態で、足載せ台を所望角度に立上げ可能であるとともに、フットレストを所望角度に展開可能であり、フットレストの裏面が足載せ台の裏面に対向するように重ね合わせた状態で、前記座の下の空間に収容可能である、
ことを特徴とする足載せ装置付き着座具。
【請求項５】
請求項４記載の足載せ装置付き着座具において、
着座具がソファである、
ことを特徴とする足載せ装置付き着座具。
【請求項６】
請求項４記載の足載せ装置付き着座具において、
着座具が介護用着座具である、
ことを特徴とする足載せ装置付き着座具。
【発明の詳細な説明】
【技術分野】
【０００１】
本発明は、椅子やソファ等の各種着座具に取り付け可能な足載せ装置と、その足載せ装置を備えた着座具に関する。
【背景技術】
【０００２】
椅子やソファ等の着座具の中には、フットレストを備えたものや背凭れを所望角度に倒すことのできるリクライニング式のものなどがある。近年では、起立補助機能を備えた着座具や、介護用の着座具なども数多く提案されている。
【０００３】
本件出願人は、本件出願に先立ち、ソファの底面に取り付け可能な足載せ装置（特許文献１）及び起立補助機能を備えた着座具（特許文献２）について出願を行い、後者については特許権を取得した。これらのほか、フットレストに関するものとして、着座具の下方に格納可能な格納式フットレスト（特許文献３）が提案されている。
【先行技術文献】
【特許文献】
【０００４】
【特許文献１】特開２００７−２９３７８号公報
【特許文献２】特開２０１３−１１１３８７号公報
【特許文献３】特開２００１−１１４００７号公報
【発明の概要】
【発明が解決しようとする課題】
【０００５】
前記特許文献２に開示された起立補助機構付き着座具は製品化され、好評を得ている。一方で、特許文献２の着座具にはフットレストや着座時に足を載せる足載せ台、リクライニング機能などがないため、購入者からは、フットレストや足載せ台、リクライニング機能などを備えたタイプの着座具の開発が要望されている。また、要介護者や病人、足腰の弱った高齢者等が使用する車輪付きの椅子（以下、これらをまとめて「介護用着座具」という）に、起立補助機能やリクライニング機能、フットレスト、足載せ台等を設けてほしいとの要望もある。
【０００６】
本発明は前記要望に応えるべく開発されたものであり、その解決課題はソファや介護用着座具といった各種着座具に取り付け可能な足載せ装置と、当該足載せ装置を備えた足載せ装置付き着座具を提供することにある。
【課題を解決するための手段】
【０００７】
［足載せ装置］
本発明の足載せ装置は、着座具に取り付けて使用可能な足載せ装置において、着座具に取り付け可能な取付けフレームと、当該取付けフレームに固定されたレールと、当該レールに沿ってスライド可能なスライド体と、当該スライド体の先方側に回動可能に設けられた足載せ台と、前記スライド体と足載せ台の双方に連結されて当該足載せ台を所望角度に立ち上げる立上げ機構と、前記足載せ台の先方に回動可能に設けられたフットレストと、前記スライド体とフットレストの双方に連結されて当該フットレストを所望角度に展開する展開機構を備えたものである。スライド体は、着座具の座の下側に取り付けたときに、当該座の下方の収容空間から当該座の先端よりも前方までスライド可能であり、フットレストはその裏面が足載せ台の裏面に対向するように回転させて重ね合わせることができ、スライド体の後方移動に伴って、当該重ね合わせ状態で座の下方の収容空間に収容することができるものである。
【０００８】
前記足載せ装置において、足載せ台は立上げ機構によって立上げ角度を調節できるようにすることができる。同様に、フットレストは展開機構によって展開角度を調節できるようにすることができる。
【０００９】
［足載せ装置付き着座具］
本発明の足載せ付き着座具は、座の下に空間を備えた着座具において、着座具に前記いずれかの足載せ装置が取り付けられたものであり、足載せ装置は、前記座の先端よりも前方に引き出した状態で、足載せ台を所望角度に立上げ可能であるとともに、フットレストを所望角度に展開可能であり、フットレストの裏面が足載せ台の裏面に対向するように重ね合わせた状態で、前記座の下の空間（収容空間）に収容可能なものである。
【００１０】
前記足載せ付き着座具の着座具には、ソファや介護用着座具を用いることができる。
【発明の効果】
【００１１】
本発明の足載せ装置は、その構成に応じて次のような効果がある。
（１）着座具に取付け可能であるため、足載せ装置を備えない着座具を簡単に足載せ装置付きの着座具にすることができる。
（２）足載せ台とフットレストの双方を備えているため、足を下におろして座りたいときには足載せ台に足を載せることができ、足をあげて休みたいとき（例えば、リクライニング時）には、フットレストに足を載せることができる。
（３）フットレストを足載せ台の裏面側に重ね合わせられる構造であるため、コンパクトである。
（４）不使用時には足載せ台やフットレストを座の下方の収容空間に収容できる構造であるため、足載せ装置が立上がり時や着座時に邪魔になることはない。また、スライド体をスライドさせるだけで足載せ台やフットレストを引き出すことができるため、足載せ台やフットレストの準備に手間がかからない。
（５）足載せ台は、所望角度に調節可能であるため、足載せ台の角度を利用者の好みに合わせることができる。
（６）フットレストは、所望角度に調節可能であるため、フットレストの角度を利用者の好みに合わせることができる。
【００１２】
本発明の足載せ装置付き着座具は、その構成に応じて次のような効果がある。
（１）前記足載せ装置を備えた着座具であるため、前記足載せ装置と同様の効果を有する。
（２）足載せ台とフットレストを選択的に利用することができるので、使用者の使用の幅が広がる。
（３）車椅子などの介護用着座具に足載せ装置を設けた場合、フットレストを展開して被介護者の足を載せておけば、座ったまま靴や靴下を脱がせ或いは履かせることができ、介護負担を軽減することができる。
（４）足載せ台やフットレストに足を載せれば、長時間着座しても鬱血しにくく、鬱血による身体への悪影響を回避できる。
【図面の簡単な説明】
【００１３】
【図１】本発明の足載せ装置の一例を示す分解斜視図。
【図２】足載せ台の一例を示す斜視図。
【図３】足載せ装置の着座具への取付け例を示す分解斜視図。
【図４】本発明の足載せ装置付き着座具の一例を示す斜視図。
【図５】足載せ台の立上げとフットレストの展開手順の説明図。
【図６】足載せ装置付き着座具の足載せ装置の動作説明図であって、（ａ）はスライド体を座の下方の収容空間に収容した状態を示す側面図、（ｂ）はスライド体を座の先端よりも前方に引き出した状態を示す側面図、（ｃ）は足載せ台を立ち上げてフットレストを展開した状態を示す側面図。
【発明を実施するための形態】
【００１４】
（足載せ装置の実施形態）
本発明の足載せ装置５０の一例を、図面を参照して説明する。本発明の足載せ装置５０は、椅子やソファ等の各種着座具６０に取り付けて使用可能なものであり、フットレストや足載せ台等を有しない既存の着座具６０を、足載せ装置付きの着座具（足載せ装置付き着座具）７０として利用できるようにするものである。
【００１５】
［足載せ装置の概要］
一例として図１に示す足載せ装置５０は、着座具６０に取り付け可能な取付けフレーム１と、当該取付けフレーム１に固定されたレール２と、当該レール２に沿ってスライド可能なスライド体３と、当該スライド体３の先方側に回動可能に設けられた足載せ台４と、前記スライド体３と足載せ台４の双方に連結されて当該足載せ台４を所望角度に立ち上げる立上げ機構５と、前記足載せ台４の先方に回動可能に設けられたフットレスト６と、前記スライド体３とフットレスト６の双方に連結されて当該フットレストを所望角度に展開する展開機構７を備えたものである。スライド体３は、着座具６０に取り付けたときに、当該着座具６０の座６１の下方の収容空間Ｓから当該座６１の先端よりも前方に突出する位置までスライドできるようにしてある。フットレスト６はその裏面６ｂが足載せ台４の裏面４ｂに対向するように回転させて重ね合わせることができ、スライド体３の後方移動に伴って、当該重ね合わせ状態で座６１の下方の収容空間Ｓに収容されるようにしてある。
【００１６】
［取付けフレーム］
前記取付けフレーム１は、本発明の足載せ装置５０を着座具６０の座６１又は脚（図示しない）といった着座具６０の一部に取り付けるのに用いる部材である。この実施形態では、座６１のフレーム（以下「座フレーム」という）６２（図３）に取り付ける場合を一例としている。図１に示す取付けフレーム１は、間隔をあけて配置された二本の横フレーム９ａ、９ｂと、それぞれの横フレーム９ａ、９ｂの前方の内面に設けられた連結板１０ａ、１０ｂと、当該連結板１０ａ、１０ｂ間に設けられた前フレーム１１を備えている。横フレーム９ａ、９ｂや前フレーム１１には細長の角材を、連結版１０ａ、１０ｂには細長の薄板を用いている。
【００１７】
それぞれの横フレーム９ａ、９ｂの後端側には、取付け板１２ａ、１２ｂが内向きに突設され、レール２の後端側が取り付けられている。横フレーム９ａ、９ｂの後端側外側には、立方体状の取付けブロック１３ａ、１３ｂが設けられ、車輪１４ａ、１４ｂ及びそのブレーキ手段１５が取り付けられている。前フレーム１１の長手方向両外側には下向きコ字状の車輪取付け具１６ａ、１６ｂが設けられ、その車輪取付け具１６ａ、１６ｂに移動用の車輪１７ａ、１７ｂが取り付けられている。車輪取付け具１６ａ、１６ｂ及び車輪１７ａ、１７ｂは、必要に応じて設ければよく、不要な場合にはこれらの部材は省略することができる。前フレーム１１の長手方向両端寄りの位置には、側面視Ｌ字状のブラケット１８ａ、１８ｂが設けられ、取付け板１２ａ、１２ｂに固定されたレール２ａ、２ｂの前端側が取り付けられている。
【００１８】
［レール］
前記レール２は、スライド体３を前後方向にガイドするためのものである。この実施形態では、図１に示すような細長の丸パイプを用いているが、レール２は丸パイプ以外であってもよい。レール２は間隔をあけて二本設けられ、それぞれのレール２ａ、２ｂは、後端側が横フレーム９ａ、９ｂの取付け板１２ａ、１２ｂに固定され、前端側が前記前フレーム１１に取り付けられたブラケット１８ａ、１８ｂに固定されている。
【００１９】
［スライド体］
前記スライド体３は、レール２に沿って前後方向にスライドするものである。一例として図１に示すスライド体３は、間隔をあけて配置された二つのスライダー１９ａ、１９ｂとそのスライダー１９ａ、１９ｂに連結されたスライダーフレーム２０とから構成されている。それぞれのスライダー１９ａ、１９ｂは、それぞれのレール２ａ、２ｂの外周に摺動可能に被せられた筒状部１９ｘとその筒状部１９ｘに下向きに突設された固定片１９ｙを備えている。スライダーフレーム２０は、両スライダー１９ａ、１９ｂの固定片１９ｙを固定可能な外ブラケット２１ａ、２１ｂと、両外ブラケット２１ａ、２１ｂの間に架設された架設材２２を備えている。架設材２２の長手方向外側寄りの位置には、前方に突出する前ブラケット２３ａ、２３ｂが設けられ、前記立上げ機構５ａ、５ｂの一端が連結されている。双方の前ブラケット２３ａ、２３ｂの中間には二枚の薄片からなる後保持部２４が前向きに突設され、展開機構７の一端が連結されている。
【００２０】
［足載せ台］
前記足載せ台４は、着座具６０に座った利用者が足を載せるための台である。一例として図１に示す足載せ台４は、間隔をあけて対向配置された二本の載せ台横フレーム２５ａ、２５ｂと、両載せ台横フレーム２５ａ、２５ｂの前端側を連結する連結棒２６を備えている。双方の載せ台横フレーム２５ａ、２５ｂの長手方向中央部分には載せ台横フレーム２５ａ、２５ｂの一部をＬ字状に折り返して形成された支持片２７ａ、２７ｂが内向きに突設され、当該支持片２７ａ、２７ｂに足載せ用の載せ板（図２）２８が取り付けられている。図２では図示を省略しているが、載せ板２８の上面側には、ゴム板等の滑り止め部材を設けることもできる。また、載せ板２８には、当該載せ板２８に載せた足が滑り落ちないような手段を設けることもできる。それぞれの載せ台横フレーム２５ａ、２５ｂの後端側には細長棒２９ａ、２９ｂが内向きに突設され、当該細長棒２９ａ、２９ｂを、フットレスト６の裏面側に設けられたローラーストッパー３０ａ、３０ｂで保持することによって、フットレスト６のぶらつきを防止できるようにしてある。足載せ台４は立上げ機構５ａ、５ｂを介してスライド体３に連結されている。
【００２１】
［立上げ機構］
前記立上げ機構５は、足載せ台４を所望角度に立ち上げるものである。図１の例では、立上げ機構として、二つのアームが角度調節可能に連結された、いわゆるラチェットヒンジを用いている。それぞれの立上げ機構５ａ、５ｂは、一方のアーム（説明の便宜上、ここでは「後アーム」という）５ｘの後端側がスライダーフレーム２０の前ブラケット２３ａ、２３ｂに連結され、他方のアーム（説明の便宜上、ここでは「前アーム」という）５ｙの前端側が載せ台横フレーム２５ａ、２５ｂの後端側に連結され、両アーム５ｘ、５ｙの連結部分を回転軸として前アーム５ｙを立ち上げることで、足載せ台４を所望角度に段階的（例えば、５度刻みや１０度刻み）に立ち上げられるようにしてある。足載せ台４の立上げ角度はラチェットヒンジの種類によっても異なるが、この実施形態では、足載せ台４を水平位置から約４０〜４５度に至るまで段階的に立ち上げることができるラチェットヒンジを用いている。ラチェット機構は、動作方向を一方に制限する機構であるため、前アーム５ｙは立ち上がる方向には回転するが、反対方向には回転しない。前アーム５ｙは、最上位を通過したところで解除され、後アーム５ｘと直線となる位置（初期位置）まで復帰するようにしてある。
【００２２】
それぞれのラチェットヒンジの連結部には、足載せ台４に上方から荷重がかかった際に、着座具６０が前傾しないようにするための前傾防止具３１が設けられている。図１に示す前傾防止具３１は、小型の車輪であるが、ゴム製のストッパーなどを用いることもできる。前傾防止具３１は、通常使用時には地面に接触しないようにしておき、足載せ台４に荷重がかかって少し前傾したときに地面に接触するようにしておくのが望ましい。足載せ台４の先端側には、足載せ台４やフットレスト６を前方に引き出すための引出し紐３３（図２）を設けてもよい。なお、立上げ機構５には、ガスシリンダやエアシリンダ等、ラチェットヒンジ以外のものを用いることもできる。ガスシリンダやエアシリンダ等を用いた場合、立上げ角度を所望角度に調節することができる。
【００２３】
［フットレスト］
前記フットレスト６は、着座具６０に座った利用者が、脚の部分（特に、ふくらはぎ部分や大腿部等）を載せるためのものである。一例として図１に示すフットレスト６は、幅方向両外側を支持する側方部３４ａ、３４ｂと側方部３４ａ、３４ｂの間を支持する中間部３４ｃを有する平面視Ｈ字状の基体３４の表面に、クッション材３５が取り付けられたものである。双方の側方部３４ａ、３４ｂの一端側（図１の折り畳み状態における前端側）には保持片３６ａ、３６ｂが立ち上げられ、それら両保持片３６ａ、３６ｂ間に足載せ台４の連結棒２６が回転可能に軸支されている。中間部３４ｃの中央には二枚の薄片からなる前保持部３７が設けられ、一端側（図１の後端側）がスライド体３の後保持部２４に連結された展開機構７の他端側（図１の前端側）が取り付けられ、当該展開機構７によって、フットレスト６を所望角度に展開できるようにしてある。フットレスト６の基体３４の側方部３４ａ、３４ｂの近傍には、載せ台横フレーム２５ａ、２５ｂに設けられた細長棒２９ａ、２９ｂを保持可能なローラーストッパー３０ａ、３０ｂが設けられ、当該ローラーストッパー３０ａ、３０ｂで細長棒２９ａ、２９ｂを保持することによって、フットレスト６の不使用時（足載せ台４の裏面４ｂ側に収めた時）にフットレスト６を足載せ台４側に保持して、フットレスト６が不用意に地面をすらないようにしてある。
【００２４】
［展開機構］
前記展開機構７は、足載せ台４の裏面４ｂ側に重ね合せ状態で収められたフットレスト６を、そのクッション材３５が上側を向くように展開させるためのものである。図１の例では、展開機構７としていわゆる直動ラチェットを用いている。展開機構７はフットレスト６を所望角度に展開することができれば直動ラチェット以外であってもよく、例えば、ガスシリンダやエアシリンダ等を用いることもできる。ガスシリンダやエアシリンダ等を用いた場合、ラチェットヒンジの場合よりも展開角度を細かく調節することができる。
【００２５】
［足載せ装置の着座具への取付け］
本発明の足載せ装置５０は、例えば、図３に示すように、足載せ装置５０の取付けフレーム１を着座具６０の座６１の座フレーム６２に取り付けて使用することができる。着座具６０の座フレーム６２の構造は着座具６０によって異なるため、足載せ装置５０の取付けフレーム１の構造は、その足載せ装置５０を取り付ける着座具６０の座フレーム６２に応じて、適宜設計することができる。また、取付けフレーム１は、座フレーム６２以外の部分、例えば、脚を備えた着座具６０であれば、当該脚に取り付けることもできる。本発明の足載せ装置５０は、取付けフレーム１の構造を着座具６０の取付け部分に応じて適宜設計できるため、その利用範囲が広範であるという特徴がある。
【００２６】
（足載せ装置付き着座具の実施形態）
本発明の足載せ装置付き着座具の一例を、図面を参照して説明する。本発明の足載せ装置付き着座具７０は、椅子やソファといった各種着座具６０の座６１の下側に前記足載せ装置５０を設けたものである。着座具６０には、テーブルとセットで使用されるような一般的な椅子をはじめ、起立補助機能やリクライニング機能が付いた椅子、介護用着座具といった各種のものが含まれるが、ここでは、リクライニング機能及び起立補助機能を備えたソファを一例として説明する。
【００２７】
一例として図４に示す足載せ装置付き着座具７０は、リクライニング機能及び起立補助機構を備えたソファに、前記足載せ装置の実施形態で説明した足載せ装置５０を設けたものである。図４に示す着座具６０は、座フレーム６２に設けられた座６１と左右の肘掛け６３ａ、６３ｂと背凭れ６４を備えている。着座具６０の座６１の下には、空間が設けられている。座フレーム６２の底側の四隅には、移動用の車輪が設けられている。左右の肘掛け６３ａ、６３ｂは、手動で水平位置から上向きに立ち上げられるようにしてある。背凭れ６４は、図示しないリクライニング機構によって、所望角度に後傾させられるようにしてある。背凭れ６４の後傾動作及び復帰動作は、備え付けのリモコン６５で操作できるようにしてある。リモコン６５は埋め込み式のものであってもよい。この着座具６０は、座６１と左右の肘掛け６３ａ、６３ｂと背凭れ６４の四者が、図示しない昇降機構によって、一体的（同時）に昇降できるようにしてある。上昇開始当初はそれら四者が略水平に上昇し、上昇が進むと前記四者の前傾が急になるようにしてあり、前記四者の降下開始当初は前記前傾が戻りながら降下し、降下が進むと略水平に降下するようにしてある。
【００２８】
図５に示すように、足載せ装置５０の取付けフレーム１は、着座具６０の座フレーム６２に取り付けられている。座フレーム６２に取り付けられた足載せ装置５０は、図６（ａ）のように座６１の下側の収容空間Ｓに収容された状態から、図６（ｂ）のように足載せ台４とフットレスト６を含む部分を座６１の先端よりも前方まで引き出すことができる。引き出された足載せ装置５０の足載せ台４は図６（ｃ）のように所望角度まで立ち上げることができ、足載せ台４の先端側に連結されたフットレスト６は、同（ｃ）のように所望角度に展開することができる。
【産業上の利用可能性】
【００２９】
本発明の足載せ装置５０は、座６１の下に当該足載せ装置５０を収容可能な収容空間Ｓを備えた各種着座具６０に取り付けて用いることができる。本発明の足載せ装置５０は、取付けフレーム１の構造を、取り付ける着座具６０に適した構造とすることで、椅子やソファ、介護用着座具といった各種着座具６０に取り付けて使用することができる。場合によっては、ベッドフレームの側方に取り付け、足載せ台４がベッドの側方に立ち上がるとともに、フットレスト６を同方向に展開できるようにすることもできる。本発明の足載せ装置付き着座具７０は、特別な機能を備えない通常の着座具のほか、リクライニング機構を備えた着座具や起立補助機構を備えた着座具、移動用の車輪を備えた着座具として用いることができる。
【符号の説明】
【００３０】
１  取付けフレーム
２、２ａ、２ｂ  レール
３  スライド体
４  足載せ台
４ｂ  （足載せ台の）裏面
５、５ａ、５ｂ  立上げ機構
５ｘ  後アーム
５ｙ  前アーム
６  フットレスト
６ｂ  （フットレストの）裏面
７  展開機構
９ａ、９ｂ  横フレーム
１０ａ、１０ｂ  連結板
１１  前フレーム
１２ａ、１２ｂ  取付け板
１３ａ、１３ｂ  取付けブロック
１４ａ、１４ｂ  車輪
１５  ブレーキ手段
１６ａ、１６ｂ  車輪取付け具
１７ａ、１７ｂ  車輪
１８ａ、１８ｂ  ブラケット
１９ａ、１９ｂ  スライダー
１９ｘ  筒状部
１９ｙ  固定片
２０  スライダーフレーム
２１ａ、２１ｂ  外ブラケット
２２  架設材
２３ａ、２３ｂ  前ブラケット
２４  後保持部
２５ａ、２５ｂ  載せ台横フレーム
２６  連結棒
２７ａ、２７ｂ  支持片
２８  載せ板
２９ａ、２９ｂ  細長棒
３０ａ、３０ｂ  ローラーストッパー
３１  前傾防止具
３３  引出し紐
３４  基体
３４ａ、３４ｂ  側方部
３４ｃ  中間部
３５  クッション材
３６ａ、３６ｂ  保持片
３７  前保持部
５０  足載せ装置
６０  着座具
６１  座
６２  座フレーム
６３ａ、６３ｂ  肘掛け
６４  背凭れ
６５  リモコン
７０  足載せ装置付き着座具
Ｓ  収容空間
【図１】
2016120174.tif 000003
【図２】
2016120174.tif 000004
【図３】
2016120174.tif 000005
【図４】
2016120174.tif 000006
【図５】
2016120174.tif 000007
【図６】
2016120174.tif 000008